(57)【要約】【課題】本発明は、用紙の搬送方向の長さを問わずに、用紙束の整合を確実に行える小型の用紙整合装置を提供することを課題とする。【解決手段】本発明は、用紙を束状に積み重ねて収容するための用紙積載部と、前記用紙積載部に積載された用紙を両側から互いに接近離間可能な用紙基準整合部材および用紙寄せ整合部材と、前記両整合部材を駆動する駆動機構とを備えた画像形成装置の後処理装置において、前記画像形成装置から送り出されてくる用紙を用紙積載部へ導く搬送ローラと、積載する用紙の位置をオフセットさせるために用紙の搬送方向を移動させる手段として前記搬送ローラを傾けるための駆動機構と、前記搬送ローラを傾けるタイミングを決定するために前記搬送ローラの近傍に装備した用紙位置検出手段と、用紙を搬送中に前記搬送ローラの傾き角度を変化させる制御手段とを備えたことを特徴とする。【選択図】  図１
2005015195.tif 000002
【特許請求の範囲】
【請求項１】
用紙を束状に積み重ねて収容するための用紙積載部と、前記用紙積載部に積載された用紙を両側から互いに接近離間可能な用紙基準整合部材および用紙寄せ整合部材と、前記両整合部材を駆動する駆動機構とを備えた画像形成装置の後処理装置において、前記画像形成装置から送り出されてくる用紙を用紙積載部へ導く搬送ローラと、積載する用紙の位置をオフセットさせるために用紙の搬送方向を移動させる手段として前記搬送ローラを傾けるための駆動機構と、前記搬送ローラを傾けるタイミングを決定するために前記搬送ローラの近傍に装備した用紙位置検出手段と、用紙を搬送中に前記搬送ローラの傾き角度を変化させる制御手段とを備えたことを特徴とする用紙整合装置。
【請求項２】
前記搬送ローラを傾けるタイミングを、オフセットする方向によって個別に設定すること可能としたことを特徴とする請求項１記載の用紙整合装置。
【発明の詳細な説明】
【０００１】
【発明の属する技術分野】
本発明は、複写機、レーザビームプリンタ等に接続して使用される後処理装置で、用紙束をジョブごとにオフセットして積載する機能を有する用紙整合装置に関するものである。
【０００２】
【従来の技術】
この種の用紙整合装置は、ジョブごとに用紙をオフセットする機能を持っているのが一般的であり、その方法として用紙をオフセットする方向にローラの角度を傾け、用紙を斜めに送ることによりオフセットさせている。
【０００３】
図５と図６は従来の用紙整合装置である。図５は図の左側に用紙をオフセットさせる場合、図６は図の右側に用紙をオフセットさせる場合である。駆動手段２によって搬送ローラ３の角度を傾けることにより、用紙１は矢印７の方向に斜めに搬送され、前記用紙１は可動する用紙寄せ部材４ｂによって可動しない用紙基準整合板４ａに突き当てられ整合されて積載される。従来のものは、用紙搬送中は前記搬送ローラ３の角度を用紙の搬送方向に一定の角度を持たせて用紙搬送を行っている。
【０００４】
【発明が解決しようとする課題】
しかし、上記した用紙整合装置はＡ３等の用紙搬送方向に長いサイズの用紙を整合する場合、図３に示すように搬送ローラ３によって斜行搬送された用紙１の先端が用紙寄せ整合板４ｂに接触、あるいは衝突するため搬送不良、整合性の悪化等を招くという問題があり、前記接触衝突を防ぐために用紙整合板４ｂの長さを短くする方法もあるが、この場合用紙整合幅が充分ではなく、用紙を整合しきれないという問題も発生する。前記接触衝突を防ぐため、搬送ローラ３の角度を小さくすることによって用紙搬送の傾きを小さくすると、図４に示すように今度は用紙１が用紙基準整合板４ａに接触衝突するため、用紙搬送不良、整合性悪化を招く。また、前記用紙基準整合板４ａと用紙寄せ整合板４ｂによる整合性を保つため、整合板の長さを長くすると、上記接触衝突による搬送不良を防ぐために整合板の待機幅を広くしなければならず、装置が大きくなるという問題点もあった。
【０００５】
本発明の目的は、上記従来の問題点を無くし、用紙の搬送方向の長さを問わずに、用紙束の整合を確実に行える小型の用紙整合装置を提供することである。
【０００６】
【課題を解決するための手段】
上記目的は、用紙搬送用のローラと前記ローラの角度を変動させるための駆動機構と、用紙の位置を検出する検出手段と、前記検出手段の情報を元に前記駆動機構を制御する制御装置とを備えることによって達成される。
【０００７】
【発明の実施の形態】
図１と図２は本発明になる用紙整合装置の一実施例である。
【０００８】
図１において、図示しない画像形成装置から送りこまれてくる用紙１は、ソレノイド、リンク、シャフト等の駆動手段２により角度が可変である搬送ローラ３によってオフセットしたい方向（図では矢印７の方向）に角度を持って搬送され、図示しない駆動手段によって矢印８の方向に駆動する用紙寄せ整合板４ｂによって寄せられた用紙１が用紙基準整合板４ａに突き当てられて整合され積載される。この時、搬送方向の用紙位置を検出する検出手段５からの情報を元に、図２に示すように用紙１が用紙寄せ整合板４ｂに衝突する前にローラ３の角度をストレート位置または図のように逆方向に駆動手段２を制御することで用紙１が用紙寄せ整合板４ｂに衝突することなく用紙整合がなされる。また、用紙基準整合板４ａと用紙寄せ整合板４ｂの長さが短い場合であっても、用紙１の搬送の角度が小さくなるため小型の装置によって整合性を保つ用紙積載ができる。
【０００９】
また、図５、図６に示すようにソレノイド等の非通電時に用紙１は左方向に、ソレノイドに通電の時に用紙は右方向にオフセットされるが、ローラ３の切り替え動作タイミングが異なる場合、例えばソレノイド等による動作でソレノイドに通電状態から非通電の状態に切り替える時にローラ３の角度はバネ６がシャフトを押す力によって切り替わるために、ソレノイドに非通電の状態から通電の状態に切り替える時と比べてローラの角度が切り替わるタイミングが遅れてしまう。この遅れによる用紙不整合は、ソレノイド通電から非通電に切り替える時に、ソレノイド非通電から通電に切り替えるタイミングより１（ｍｓ）から１００（ｍｓ）の間で早くすることで解消される。
【００１０】
【発明の効果】
以上説明したように本発明によれば、用紙の長さによらず整合性を保つような安定した用紙積載ができる小型の用紙整合装置を提供することができる。
【図面の簡単な説明】
【図１】本発明用紙整合装置において用紙を搬送している状態を示す上面図。
【図２】本発明用紙整合装置において搬送ローラの向きを切り替えた後の用紙搬送の状態を示す上面図。
【図３】従来の用紙整合装置において用紙が用紙寄せ整合板に接触衝突している状態を示す上面図。
【図４】従来の用紙整合装置において用紙が用紙基準整合板に接触衝突している状態を示す上面図。
【図５】従来の用紙整合装置においてソレノイド非通電時の状態を示す上面図。
【図６】従来の用紙整合装置においてソレノイドの通電時の状態を示す上面図。
【符号の説明】
１は用紙、２は駆動手段、３は用紙搬送ローラ、４ａは用紙基準整合板、４ｂは用紙寄せ整合板、５は用紙位置検出手段、６はバネ、７は用紙搬送方向を示す矢印、８は用紙寄せ整合板の駆動方向を示す矢印、９は用紙搬送ローラの傾きの駆動方向を示す矢印である。
【図１】
2005015195.tif 000003
【図２】
2005015195.tif 000004
【図３】
2005015195.tif 000005
【図４】
2005015195.tif 000006
【図５】
2005015195.tif 000007
【図６】
2005015195.tif 000008